(57)【要約】【課題】トレーの記録媒体装脱位置を高い精度で維持でき、搬送装置およびオートチェンジャの動作を円滑に行う上で有利なオートチェンジャを提供する。【解決手段】オートチェンジャ１０は、記録再生装置１２と、複数のディスク状の記録媒体が収容された不図示のストッカと、記録再生装置１２とストッカとの間で記録媒体を搬送する不図示の搬送装置とを含み、それらは外筐１６の内部に配置されている。記録再生装置１２のトレー挿脱口２０にはトレー１４が出し入れされ、このトレー１４は駆動機構４０によってトレー挿脱口２０の前方の記録媒体装脱位置と、筐体１８の内部の記録再生位置との間で移動される。モータ４２への通電を停止した状態から動力伝達機構４４やトレー１４の慣性力が零になる以前にトレー１４が位置する箇所でトレー１４の先端に当接可能な当接部３４を外筐１６に設ける。【選択図】図２
2009093763.tif 000002
【特許請求の範囲】
【請求項１】
記録再生装置と、複数の記録媒体が収容されたストッカと、前記記録再生装置と前記ストッカとの間で前記記録媒体を搬送する搬送装置とを備えるオートチェンジャであって、
前記オートチェンジャは前記記録再生装置、前記ストッカ、前記搬送装置を収容する外筐を備え、
前記記録再生装置は、記録再生部を収容する筐体と、前記筐体の前面に設けられたトレー挿脱口と、前記記録媒体の載置を可能としたトレーと、前記トレーを、前記トレー挿脱口の前方の記録媒体装脱位置と、前記筐体の内部の記録再生位置との間で移動させる駆動機構を備え、
前記駆動機構は、前記トレーを移動させる動力を発生するモータと、前記モータの制御部とを含んで構成され、
前記制御部が前記モータへ通電を停止することにより前記トレーは前記記録媒体装脱位置となり、
前記外筐に、モータへの通電を停止した状態から前記トレーの慣性力が零になる以前にトレーが位置する箇所でトレーの先端に当接可能な当接部が設けられている、
ことを特徴とするオートチェンジャ。
【請求項２】
前記外筐は、前記記録再生装置の筐体の左右側部に位置する左右の壁部と、筐体の背面に位置する後壁と、筐体の前面の前方に位置する前壁とを含んで構成され、前記当接部は、前壁の部分で構成されている、
ことを特徴とする請求項１記載のオートチェンジャ。
【請求項３】
前記トレーの先端の左右側部にはクッション材が取着され、
前記クッション材が前記当接部に当接することで前記トレーの前記記録媒体装脱位置が決定される、
ことを特徴とする請求項１記載のオートチェンジャ。
【発明の詳細な説明】
【技術分野】
【０００１】
本発明はオートチェンジャに関する。
【背景技術】
【０００２】
オートチェンジャは、記録再生装置１０と、複数のディスク状の記録媒体が収容された不図示のストッカと、記録再生装置１０とストッカとの間で記録媒体を搬送する不図示の搬送装置とを含んで構成されている。
そして、記録再生装置には、記録再生部を収容する筐体と、筐体の前面に設けられたトレー挿脱口と、記録媒体の載置を可能としたトレーと、トレーを、前記トレー挿脱口の前方の記録媒体装脱位置と、前記筐体の内部の記録再生位置との間で移動させる駆動機構などが設けられている（特許文献１、２）。
【特許文献１】特開２００４−３５５６２７
【特許文献２】特開２００５−３１７１６７
【発明の開示】
【発明が解決しようとする課題】
【０００３】
従来、トレーの記録媒体装脱位置での停止は、モータへの通電を停止した状態から動力伝達機構やトレーの慣性力が零になったところとなっているので、温度変化を含む駆動機構の駆動力のばらつき、モータ特性のばらつき、各種構成部品のばらつきにより、トレーの記録媒体装脱位置がばらつく不具合があった。
そのため、従来のオートチェンジャでは、記録再生装置とストッカとの間で記録媒体を搬送する搬送装置の動作を円滑に行い難い不利があった。
本発明はこのような事情に鑑みなされたものであり、本発明の目的は、トレーの記録媒体装脱位置を高い精度で維持でき、搬送装置およびオートチェンジャの動作を円滑に行う上で有利なオートチェンジャを提供することにある。
【課題を解決するための手段】
【０００４】
上述の目的を達成するため、本発明は、記録再生装置と、複数の記録媒体が収容されたストッカと、前記記録再生装置と前記ストッカとの間で前記記録媒体を搬送する搬送装置とを備えるオートチェンジャであって、前記オートチェンジャは前記記録再生装置、前記ストッカ、前記搬送装置を収容する外筐を備え、前記記録再生装置は、記録再生部を収容する筐体と、前記筐体の前面に設けられたトレー挿脱口と、前記記録媒体の載置を可能としたトレーと、前記トレーを、前記トレー挿脱口の前方の記録媒体装脱位置と、前記筐体の内部の記録再生位置との間で移動させる駆動機構を備え、前記駆動機構は、前記トレーを移動させる動力を発生するモータと、前記モータの制御部とを含んで構成され、前記制御部が前記モータへ通電を停止することにより前記トレーは前記記録媒体装脱位置となり、前記外筐に、モータへの通電を停止した状態から前記トレーの慣性力が零になる以前にトレーが位置する箇所でトレーの先端に当接可能な当接部が設けられていることを特徴とする。
【発明の効果】
【０００５】
そのため、本発明によれば、温度変化を含む駆動機構の駆動力のばらつき、モータ特性のばらつき、各種構成部品のばらつきがあっても、トレーが当接部に当接することでトレーが常に記録媒体装脱位置に高い精度で位置する。
【発明を実施するための最良の形態】
【０００６】
次に本発明の実施の形態について図面を参照して説明する。
図１はオートチェンジャ（ディスクチェンジャー）１０の記録再生装置１２のトレー１４が収納された状態の平面図、図２はオートチェンジャ１０の記録再生装置１２のトレー１４が突出した状態の平面図を示している。
オートチェンジャ１０は、記録再生装置１２と、複数のディスク状の記録媒体が収容された不図示のストッカと、記録再生装置１２とストッカとの間で記録媒体を搬送する不図示の搬送装置とを含んで構成されている。
本実施の形態では、記録再生装置１２は、上下に縦長の外筐１６の下部に配置され、ストッカは外筐１６の内部で記録再生装置１２の上方箇所に配置されている。
なお、本発明では記録再生装置とは、記録および再生の双方を行う装置を含むことは無論のこと、記録のみ行う装置または再生のみ行う装置をも含む。
【０００７】
記録再生装置１２は、不図示の記録再生部を収容する筐体１８を備え、筐体１８の前面にトレー挿脱口２０が形成されている。
トレー挿脱口２０にはトレー１４が出し入れされ、このトレー１４は、駆動機構４０（図３）によって、図２に示すトレー挿脱口２０の前方の記録媒体装脱位置と、筐体１８の内部の記録再生位置との間で移動される。
【０００８】
本実施の形態では、記録媒体はディスク状を呈したＣＤ，ＤＶＤ、ＢＤなどの光ディスクであり、トレー１４には、直径１２ｃｍの光ディスクを収容する第１光ディスク収容凹部２２と、直径８ｃｍの光ディスクを収容する第２光ディスク収容凹部２４とが同軸上に設けられている。
また、トレー１４には欠部２６が設けられ、この欠部２６には、光ディスク回転駆動用のターンテーブルが挿入され、この欠部２６から第１、第２光ディスク収容凹部２２、２４に収容された光ディスクの記録面に対して不図示の光ピックアップが臨む。
また、トレー１４の先端にはトレー挿脱口２０を閉塞するベゼル３０が設けられ、ベゼル３０の左右側部には、前方に突出するクッション材３２がそれぞれ取着されている。
クッション材３２としては発泡ポリウレタンやスポンジなどの従来公知のさまざまな材料が採用可能である。
【０００９】
図３に示すように、トレー１４を、記録媒体装脱位置と記録再生位置との間で移動させる駆動機構４０は、モータ４２と、モータ４２の動力をトレー１４に伝達する動力伝達機構４４と、トレー１４を案内する案内機構と、モータ４２の制御部４６などを含んで構成されている。
そして、例えば、モータ４２の正転によりトレー１４が記録媒体装脱位置から記録再生位置に移動し、モータ４２の逆転によりトレー１４が記録再生位置から記録媒体装脱位置に移動される。
なお、上述のストッカや搬送機構、駆動機構４０として従来公知のさまざまな構造が採用可能である。
【００１０】
従来、トレー１４の記録媒体装脱位置での停止は、モータ４２への通電を停止した状態から動力伝達機構４４やトレー１４の慣性力が零になったところとなっているので、モータ４２への通電を停止した状態から前記慣性力が零になる以前にトレー１４が位置する箇所でトレー１４の先端に当接可能な当接部３４を外筐１６に設けている。本実施の形態では、クッション材３２が当接する当接部３４を外筐１６に設けている。
外筐１６は、筐体１８の左右側部に位置する左右の壁部１６０２と、筐体１８の背面に位置する不図示の後壁と、筐体１８の前面の前方に位置する前壁１６０４とを含んで断面が矩形に形成され、当接部３４は、クッション材３２が当接する前壁１６０４の部分で構成されている。
したがって、本実施の形態では、外筐１６を利用することで当接部３４を設けており、部品点数を何ら増やしていない。
【００１１】
本実施の形態によれば、温度変化を含む駆動機構４０の駆動力のばらつき、モータ特性のばらつき、各種構成部品のばらつきがあっても、クッション材３２が当接部３４に当接することでトレー１４が常に記録媒体装脱位置に高い精度で位置することになる。
したがって、記録媒体装脱位置を高い精度に維持でき、記録再生装置１２とストッカとの間で記録媒体を搬送する搬送装置の動作を円滑に行い、オートチェンジャ１０の動作を円滑に行う上で極めて有利となる。
また、クッション材３２を設けクッション材３２を当接部３４に当接するようにしたので、何ら騒音を生じることなくトレー１４を記録媒体装脱位置に位置させることができ、オートチェンジャ１０の静粛性を高める上で有利となる。
また、外筐１６の部分を当接部３４として利用しているので、部品点数を増加させずに記録媒体装脱位置を高い精度に維持できる。
【００１２】
なお、実施の形態では、記録再生装置１２が扱う記録媒体が光ディスクである場合について説明したが、本発明は、例えば、記録媒体がＩＣカードや光カード、磁気カードなど板状を呈している場合であっても無論適用可能である。
【図面の簡単な説明】
【００１３】
【図１】オートチェンジャ１０の記録再生装置１２のトレー１４が収納された状態の平面図である。
【図２】オートチェンジャ１０の記録再生装置１２のトレー１４が突出した状態の平面図である。
【図３】オートチェンジャ１０の構成を示すブロック図である。
【符号の説明】
【００１４】
１０……オートチェンジャ、１２……記録再生装置、１４……トレー、１６……外筐、３４……当接部、４０……駆動機構、４２……モータ、４６……制御部。
【図１】
2009093763.tif 000003
【図２】
2009093763.tif 000004
【図３】
2009093763.tif 000005